(57)【要約】【課題】環状装飾部材と演出部材との干渉を防止することが可能な遊技機の提供を目的とする。【解決手段】本発明に係る遊技機１０は、第１可動演出部材１１０と、第１可動演出部材１１０より前側で第１可動演出部材１１０を縁取るように配置される環状発光部材３１０と、環状発光部材３１０を支持する機構枠１７と、機構枠１７に対して環状発光部材３１０を遊技盤１１１の前面に沿って移動させるための駆動源３４２と、有している。そして、機構枠１７には、環状発光部材３１０に後側から当接して環状発光部材３１０の第１可動演出部材１１０側への移動を規制することが可能な当接規制部３５１が設けられている。【選択図】図２０
2018008177.tif 000002
【特許請求の範囲】
【請求項１】
待機位置と、出現位置との間を移動する可動演出部材と、
前記可動演出部材より前側で、前記出現位置の前記可動演出部材の少なくとも一部と重なって装飾する装飾部材と、
前記装飾部材を支持する支持ベースと、
前記支持ベースに対して前記装飾部材を前後方向と直交又は略直交する面内で移動させるための駆動源と、
前記支持ベースに設けられ、前記装飾部材に後側から当接して前記装飾部材の前記可動演出部材側への移動を規制することが可能な当接規制部と、を有することを特徴とする遊技機。
【発明の詳細な説明】
【技術分野】
【０００１】
本発明は、演出部材を備えた遊技機に関する。
【背景技術】
【０００２】
従来、この種の遊技機として、表示部の前側に演出部材を配置したものが知られている（例えば、特許文献１参照）。
【先行技術文献】
【特許文献】
【０００３】
【特許文献１】特開２０１３−０７８６５２号公報（段落［００５０］、図３）
【発明の概要】
【発明が解決しようとする課題】
【０００４】
ところで、上述した遊技機において、演出の趣向性向上のために、演出部材とは別に演出部材の前側に装飾部材を設け、その装飾部材を鉛直面内で移動させる構成にすると、移動によるガタつきで装飾部材が演出部材に干渉するという問題があった。
【０００５】
本発明は、上記事情に鑑みてなされたもので、装飾部材と演出部材との干渉を防止することが可能な遊技機の提供を目的とする。
【課題を解決するための手段】
【０００６】
上記目的を達成するためになされた請求項１の発明は、待機位置と、出現位置との間を移動する可動演出部材と、前記可動演出部材より前側で、前記出現位置の前記可動演出部材の少なくとも一部と重なって装飾する装飾部材と、前記装飾部材を支持する支持ベースと、前記支持ベースに対して前記装飾部材を前後方向と直交又は略直交する面内で移動させるための駆動源と、前記支持ベースに設けられ、前記装飾部材に後側から当接して前記装飾部材の前記可動演出部材側への移動を規制することが可能な当接規制部と、を有する遊技機である。
【発明の効果】
【０００７】
［請求項１の発明］
請求項１の遊技機によれば、装飾部材に後側から当接可能な当接規制部を設けたので、装飾部材が移動により前後方向にガタついたとしても当接規制部により装飾部材の可動演出部材側への移動を規制することができ、装飾部材と演出部材との干渉を防止することが可能となる。
【図面の簡単な説明】
【０００８】
【図１】本発明の一実施形態に係る遊技機の正面図
【図２】遊技盤の正面図
【図３】機構枠の正面図
【図４】第１可動役物装置及び第２可動役物装置の斜視図
【図５】第１可動演出部材が分離状態のときの第１可動役物装置の正面図
【図６】第１可動演出部材が合体状態のときの第１可動役物装置の正面図
【図７】第１昇降ベース及び第２昇降ベースの背面図
【図８】（Ａ）昇降ガイドとスライド部材の係合部分の断面図、（Ｂ）スライド部材と回動アームを下方から見た図
【図９】前側重なり部材に対する後側重なり部材の駆動機構を模式的に示す図
【図１０】第２可動演出部材が待機位置に配置されたときの第１可動役物装置及び第２可動役物装置の正面図
【図１１】第２可動演出部材が突出位置に配置されたときの第１可動役物装置及び第２可動役物装置の正面図
【図１２】第２可動演出部材が待機位置のときの第２可動役物装置の正面図
【図１３】第２可動演出部材が突出位置のときの第２可動役物装置の正面図
【図１４】（Ａ）収縮状態における回転盤と第１回動部の正面図、（Ｂ）拡張状態における回転盤と第１回動部の正面図
【図１５】（Ａ）収縮状態における回転盤と第２回動部の正面図、（Ｂ）拡張状態における回転盤と第２回動部の正面図
【図１６】（Ａ）収縮状態における第２可動演出部材の回転機構を模式的に示す図、（Ｂ）拡張状態における第２可動演出部材の回転機構を模式的に示す図
【図１７】環状発光部材の斜視図
【図１８】分離状態の第１可動演出部材と環状発光部材の側断面図
【図１９】上側構成体と環状発光部材の側断面図
【図２０】下側構成体と環状発光部材の側断面図
【図２１】合体状態の第１可動演出部材と環状発光部材の側断面図
【図２２】周方向に展開された環状発光部材を内周壁側から見た図
【図２３】環状発光部材の（Ａ）Ａ−Ａ断面図、（Ｂ）Ｂ−Ｂ断面図、（Ｃ）Ｃ−Ｃ断面図
【図２４】環状発光部材周辺を後側から見た図
【図２５】環状発光部材の回転機構を模式的に示す図
【図２６】合体状態の第１可動演出部材と環状発光部材を前側から見た図
【図２７】合体状態の第１可動演出部材と環状発光部材の斜視図
【図２８】外側発光部材周辺の側断面図
【図２９】外側発光部材の断面図
【図３０】遊技機における発光素子及び外側発光素子の制御体系を示すブロック図
【発明を実施するための形態】
【０００９】
以下、本発明をパチンコ遊技機に適用した一実施形態を図１〜図３０に基づいて説明する。図１に示すように、本実施形態の遊技機１０は、前面枠１０Ｚを前面に備え、その前面枠１０Ｚに形成されたガラス窓１０Ｗを通して、図２に示す遊技盤１１の前面に形成された遊技領域Ｒ１が視認可能になっている。遊技盤１１の後側には、図３に示す機構枠１７が取り付けられ、その機構枠１７には種々の装置が取り付けられている。
【００１０】
図１に示すように、前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球が遊技領域Ｒ１に向けて弾き出される。
【００１１】
図２に示すように、遊技盤１１の前面からは、遊技領域Ｒ１を包囲するガイドレール１２が突出している。ガイドレール１２は、遊技盤１１の外縁部を周回するように配置されている。
【００１２】
遊技盤１１のうち遊技領域Ｒ１の中央には、表示開口１１Ｈが貫通形成されており、その表示開口１１Ｈに後側から表示装置１３が対向している。表示装置１３は、例えば、液晶モジュールで構成され、その前面が遊技に関する演出を行う表示画面１３Ｇとなっている。なお、詳細には、表示画面１３Ｇは、機構枠１７（図３参照）の後側から機構枠１７の開口部１７Ｋと遊技盤１１の表示開口１１Ｈを通して遊技者に視認可能となっている。
【００１３】
遊技盤１１の前面中央には、前方から見て表示画面１３Ｇを囲むように表示装飾枠２３が取り付けられている。表示装飾枠２３は、遊技盤１１の前面側から表示開口１１Ｈに嵌め込まれ、表示開口１１Ｈの内側に張り出すと共に遊技盤１１の前面から突出している。そして、遊技領域Ｒ１を流下する遊技球が、表示装飾枠２３の前側を通過して表示装飾枠２３の内側に進入しないように構成されている。
【００１４】
遊技領域Ｒ１のうち表示装飾枠２３の下方における左右方向の中央部には、第１と第２の始動入賞口１４Ａ，１４Ｂが、上下に間隔を開けて並べて配置されている。第１の始動入賞口１４Ａは、上側に開放したポケット構造になっている。第２の始動入賞口１４Ｂは、前側に開放し、開閉扉１４Ｔにより開閉される。開閉扉１４Ｔは、通常は、第２の始動入賞口１４Ｂを閉塞する閉位置に配置され、遊技領域Ｒ１のうち表示装飾枠２３の左側と右下に設けられた始動ゲート１８，１８を遊技球が通過したときに行われる普通図柄当否判定で当りとなったことを起因にして、第２の始動入賞口１４Ｂを開放する開位置に配置される。第１と第２の始動入賞口１４Ａ，１４Ｂの何れかの始動入賞口に遊技球が入球（入賞）すると、特別図柄当否判定が行われる。特別図柄当否判定の判定結果は、表示装置１３の表示画面１３Ｇにて報知される。特別図柄当否判定の結果が当りとなると、大当り遊技状態となり、大当り遊技が実行される。一方、特別図柄当否判定の結果が外れであると、通常の遊技状態が続く。
【００１５】
遊技領域Ｒ１のうち表示装飾枠２３の右下には、大入賞口１５が設けられている。大入賞口１５は、横長矩形状をなし、通常の遊技状態では、可動扉１５Ｔにて閉塞されている。そして、遊技状態が大当り遊技状態となって大当り遊技が実行されると、可動扉１５Ｔが所定期間に亘って前側に倒される。すると、大入賞口１５が前方に開放し、可動扉１５Ｔを案内にして大入賞口１５に多くの遊技球が入賞可能となる。なお、上述した始動ゲート１８，１８のうち表示装飾枠２３の右下の始動ゲート１８は、大入賞口１５の上方に配置されている。
【００１６】
遊技領域Ｒ１には、始動入賞口１４Ａ，１４Ｂ及び大入賞口１５のほかに、複数の一般入賞口２０が備えられている。これらの入賞口１４Ａ，１４Ｂ，１５，２０に遊技球が入球（入賞）すると、遊技者に特典（賞球）が付与される。また、遊技領域Ｒ１の下端部を含む複数箇所には、各入賞口１４Ａ，１４Ｂ，１５，２０とは別に、遊技者に特典（賞球）を付与することなく遊技領域Ｒ１の外側に排出するためのアウト口１６が設けられている。
【００１７】
図３に示すように、本実施形態の遊技機１０は、上述した入賞口１４Ａ，１４Ｂ，１５や表示装置１３等のほかに、可動演出部材の動作により遊技に関する演出を行う２つの可動役物装置を機構枠１７に固定して備えている。２つの可動役物装置のうち一方の第１可動役物装置１１０Ｓは、第１可動演出部材１１０を図５に示す分離状態と図６に示す合体状態とに変化させる。また、２つの可動役物装置のうち他方の第２可動役物装置２１０Ｓは、第２可動演出部材２１０を分離状態の第１可動演出部材１１０に前側を覆われた待機位置（図５及び図１０参照。なお、図１０では、第１可動演出部材１１０のうち第２可動演出部材２１０を覆う部分を削除した状態が示されている。）と、その第１可動演出部材１１０から全体が突出した突出位置（図１１参照）との間で移動させる。以下、第１可動役物装置１１０Ｓ及び第２可動役物装置２１０Ｓについて詳説する。
【００１８】
図４〜図７に示すように、第１可動役物装置１１０Ｓは、機構枠１７の上辺部と左右の辺部とに取り付けられる門形ベース１１１を有し、その門形ベース１１１に対して第１可動演出部材１１０を構成する演出部材構成体１１０Ａが上下方向に移動可能な構造になっている。門形ベース１１１は、上下方向に直線状に延びた１対の昇降ガイド１２１，１２１を横並びにして備えると共に、それら１対の昇降ガイド１２１，１２１の上端部同士が連絡プレート１１２にて連絡された構造になっている。なお、連絡プレート１１２は、機構枠１７（図３参照）の上辺部に重ねられ、昇降ガイド１２１，１２１は、開口部１７Ｋを左右方向に挟むように機構枠１７の左右の辺部に重ねられている。これにより、門形ベース１１１は、遊技盤１１及び表示装飾枠２３（図２参照）の後側に隠れるように配置されている。
【００１９】
図４に示すように、各昇降ガイド１２１には、上下方向に直線状に延びた第１シャフト１２２及び第２シャフト１２３が備えられている。第１シャフト１２２と第２シャフト１２３とは、前後方向と左右方向の両方向でずれるように配置されている。なお、本実施形態では、第１シャフト１２２は、第２シャフト１２３よりも前側で且つ１対の昇降ガイド１２１，１２１に挟まれる側である内側に配置されている。
【００２０】
第１シャフト１２２には、第１昇降スライダ１２４が第１シャフト１２２に沿って移動可能に係合し、第２シャフト１２３には、第２昇降スライダ１２５が第２シャフト１２３に沿って移動可能に係合している。第１昇降スライダ１２４における後側を向く面には、第１ラック１２４Ａが形成され、第２昇降スライダ１２５における前側を向く面には第２ラック１２５Ａが形成されている。第１ラック１２４Ａ及び第２ラック１２５Ａは、共に、昇降ガイド１２１の上下方向の中間部に回転可能に取り付けられたピニオン１２６と噛合している。具体的には、第１ラック１２４Ａはピニオン１２６の前側部分と噛合し、第２ラック１２５Ａはピニオン１２６の後側部分と噛合している。そして、第１昇降スライダ１２４が第１シャフト１２２に沿って下方へ移動すると、ピニオン１２６が右側から見て反時計方向に回転し、第２昇降スライダ１２５が第２シャフト１２３に沿って上方へ移動する。同様にして、第１昇降スライダ１２４が上方へ移動すると、ピニオン１２６が右側から見て時計方向に回転し、第２昇降スライダ１２５が下方へ移動する。なお、詳細には、ピニオン１２６は、大径歯車部と小径歯車部とが一体回転可能な構造になっていて、小径歯車部の前側部分が第１ラック１２４Ａと噛合し、大径歯車部の後側部分が第２ラック１２５Ａと噛合している。
【００２１】
図５及び図６に示すように、１対の第１昇降スライダ１２４，１２４は、第１昇降ベース１３１の両側部に固定され、１対の第２昇降スライダ１２５，１２５は、第２昇降ベース１４１の両側部に固定されている。即ち、１対の第１昇降スライダ１２４，１２４は、第１昇降ベース１３１と一体に上下動し、１対の第２昇降スライダ１２５，１２５は、第２昇降ベース１４１と一体に上下動するようになっている。
【００２２】
図６及び図７に示すように、上述した連絡プレート１１２には、第１昇降ベース１３１を上下動させるための１対の駆動源１１３，１１３が横並びにして備えられると共に、第１駆動源１１３，１１３からの動力を第１昇降ベース１３１へ伝達するための動力伝達部１１４，１１４が備えられている。なお、連絡プレート１１２のうち動力伝達部１１４，１１４に挟まれた部分には、後述する第２可動役物装置２１０Ｓが搭載されている。
【００２３】
駆動源１１３による第１昇降ベース１３１の駆動は、以下のようにして行われる。即ち、駆動源１１３，１１３が作動すると、動力伝達機構１１４，１１４のうち第１昇降ベース１３１と連結する回動リンク１１４Ａ，１１４Ａが互いに反対方向に回転する。ここで、図７に示すように、各回動リンク１１４Ａには、側方に張り出した突片１１４Ｔが設けられていて、その突片１１４Ｔの先端部に形成された図示しない係合ピンが第１昇降ベース１３１に形成された横長孔１３１Ａに挿通されている。そして、１対の回動リンク１１４Ａ，１１４Ａが互いに反対方向に回転すると、１対の係合ピンが横長孔１３１Ａ内を移動しながら第１昇降ベース１３１を上下方向で同じ方向に押す。これにより、第１昇降ベース１３１が上下方向に駆動される。
【００２４】
図５及び図６に示すように、第１可動演出部材１１０は、複数の演出部材構成体１１０Ａで構成されていて、第１可動演出部材１１０が合体状態になると、複数の演出部材構成体１１０Ａが近接して１つの意匠を構成するようになっている。そして、複数の演出部材構成体１１０Ａが、第１昇降ベース１３１と第２昇降ベース１４１に取り付けられている。具体的には、第１可動演出部材１１０は、合体状態でキャラクターの顔を構成するようになっていて、顔の上側部分を構成する上側構成体１３２と、顔の下側部分を構成する下側構成体１４２とに分割可能となっている。そして、上側構成体１３２が第１昇降ベース１３１に取り付けられ、下側構成体１４２が第２昇降ベース１４１に取り付けられている。
【００２５】
図４に示すように、上側構成体１３２は、左右方向の中央部に前側に突出した膨出部１３３と、膨出部１３３の左右両側から張り出した１対の鍔部１３４，１３４とを有し、１対の鍔部１３４，１３４が第１昇降ベース１３１の前面に重ねて固定された構造になっている。膨出部１３３は、左右方向で対向した１対の対向突壁１３６，１３６の前端部同士が前端壁１３５にて連絡された溝形構造をなし、膨出部１３３の後側には、溝部１３３Ｍが形成されている。なお、各対向突壁１３６の後端部が鍔部１３４に連絡している。
【００２６】
下側構成体１４２は、左右方向で互いに接離する１対の分割体１４２Ａ，１４２Ａで構成され、各分割体１４２Ａは、前後方向にずれて配置された前側重なり部材１４３及び後側重なり部材１４４で構成されている。後側重なり部材１４４は、前側重なり部材１４３に対して上下方向に移動可能となっていて、前方から見たときに、後側重なり部材１４４の大部分が前側重なり部材１４３の後側に重ねられる重なり位置（図５参照）と、後側重なり部材１４４の大部分が前側重なり部材１４３から下方に飛び出す飛び出し位置（図６参照）と、に配置される。なお、本実施形態では、第１可動演出部材１１０を構成する複数の演出部材構成体１１０Ａは、上側構成体１３２と、１対の分割体１４２Ａ，１４２Ａとで構成されている。
【００２７】
図８（Ａ）及び図８（Ｂ）には、第２昇降ベース１４１に対する前側重なり部材１４３の駆動機構が模式的に示されている。両図に示されるように、各昇降ガイド１２１（図８（Ａ）及び図８（Ｂ）には、一方の昇降ガイド１２１のみが示されている。）の前面には、上下方向に延びたガイド溝１２７が形成されていて、そのガイド溝１２７にスライド部材１４５の係合ピン１４５Ｐが係合している。スライド部材１４５は、第２昇降ベース１４１に前側から重ねられ、第２昇降ベース１４１に回動可能に支持された回動アーム１４６に連結されている（特に、図８（Ｂ）参照）。回動アーム１４６は、第２昇降ベース１４１から前側に延び、鉛直な回動軸１４６Ｊを中心に回動可能となっている。そして、回動アーム１４６の前端部に前側重なり部材１４３が連結されている。
【００２８】
ここで、図８（Ａ）に示すように、ガイド溝１２７は、上側へ向かうに従って１対の昇降ガイド１２１，１２１（図５参照）の内側へ向かうように傾斜した傾斜部１２７Ｋが形成されている。そして、第２昇降ベース１４１が昇降ガイド１２１に沿って上方へ移動すると、スライド部材１４５の係合ピン１４５Ｐがガイド溝１２７の傾斜部１２７Ｋに沿って移動し、１対のスライド部材１４５，１４５が互いに接近する。すると、そのスライド部材１４５の移動に伴って回動アーム１４６が前端部を内側（１対の昇降ガイド１２１，１２１の内側）へ向けるように回動し、１対の前側重なり部材１４３，１４３が互いに接近する。なお、同様にして、第２昇降ベース１４１が下方へ移動したときには、１対の前側重なり部材１４３，１４３は互いに離間する。
【００２９】
図９（Ａ）及び図９（Ｂ）には、前側重なり部材１４３に対する後側重なり部材１４４の駆動機構が模式的に示されている。両図に示されるように、第２昇降ベース１４１には、左右方向に延びた水平ラック１４７が形成され、その水平ラック１４７と噛合するピニオン１４８が前側重なり部材１４３（図９（Ａ）及び図９（Ｂ）では省略して示されている。）に軸支されている。また、ピニオン１４８には、水平ラック１４７とは別に上下方向に延びた鉛直ラック１４９も噛合していて、この鉛直ラック１４９が後側重なり部材１４４に備えられている。そして、上述の如く、第２昇降ベース１４１が上方へ移動して、１対の前側重なり部材１４３，１４３が互いに接近すると、図９（Ａ）から図９（Ｂ）への変化に示すように、前側重なり部材１４３に軸支されたピニオン１４８が水平方向に移動すると共に回転し、鉛直ラック１４９が下方へ移動する。これにより、後側重なり部材１４４が前側重なり部材１４３に対して下方へ移動して、飛び出し位置（図６参照）に配置される。なお、同様にして、第２昇降ベース１４１が下方へ移動したときには、後側重なり部材１４４は前側重なり部材１４３に対して上方へ移動して重なり位置（図５参照）に配置される。
【００３０】
ところで、図１８、図２１及び図２７に示すように、上側構成体１３２における膨出部１３３の前端壁１３５は、下側構成体１４２における各分割体１４２Ａの前側重なり部材１４３よりも前側に配置されている。従って、第１可動演出部材１１０が合体状態になると、その第１可動演出部材１１０には、上側構成体１３２と下側構成体１４２とによって、上側部分が前側へ段付き状に突出するように第１段差１１７が形成される（図２１及び図２７参照）。言い換えれば、合体状態における第１可動演出部材１１０の第１段差１１７を境にして、上側構成体１３２と下側構成体１４２とが分離する。
【００３１】
また、上述したように、第１可動演出部材１１０が合体状態になると、下側構成体１４２において前側重なり部材１４３の後側に重ねられていた後側重なり部材１４４が、前側重なり部材１４３から下方に飛び出す。従って、合体状態における第１可動演出部材１１０には、下側構成体１４１における前側重なり部材１４３と後側重なり部材１４４とによって、上側部分が前側へ段付き状に突出するように第２段差１１８が形成される（図２１及び図２７参照）。
【００３２】
このように、本実施形態では、第１可動演出部材１１０が合体状態になると、その第１可動演出部材１１０に、第１段差１１７と第２段差１１８が形成され、各段差１１７，１１８に対して上側に配置される部分が前側へ段付き状に突出する。これにより、第１可動演出部材１１０を立体的に見せることが可能となり、第１可動演出部材１１０の趣向性向上を図ることが可能となる。
【００３３】
第１可動役物装置１１０Ｓに関する説明は、以上である。次に、第２可動役物装置２１０Ｓについて説明する。
【００３４】
上述したように、第２可動役物装置２１０Ｓは、門形ベース１１１の連絡プレート１１２に搭載され、第２可動演出部材２１０を、待機位置（図５及び図１０参照）と突出位置（図１１）とに配置する。具体的には、第２可動演出部材２１０は、待機位置に配置されたときに、分離状態における第１可動演出部材１１０の上側構成体１３２にて前側を覆われ、突出位置に配置されたときに、その上側構成体１３２から下方に突出する。このように、本実施形態では、上側構成体１３２の後側に配置される第２可動演出部材２１０が上側構成体１３２から突出するので、第２可動演出部材２１０によって遊技者に意外性を与えることが可能となっている。
【００３５】
ここで、図４に示すように、第２可動演出部材２１０は、下側構成体１４２と同じ前後位置に配置されていて、上述した上側構成体１３２における膨出部１３３の後側に形成された溝部１３３Ｍに収容されている。このように、本実施形態では、第２可動演出部材２１０が下側構成体１４２と同じ前後位置に配置されるので、第１可動演出部材１１０の前面に第１段差１１７を形成するために上側構成体１３２を前側に配置したことにより、その上側構成体１３２の後側に生じるスペースを、第２可動演出部材２１０の収容スペースとして利用することが可能となる。また、待機位置の第２可動演出部材２１０は、膨出部１３３の前端壁１３５にて前側を覆われるだけでなく、１対の対向突壁１３６，１３６にて側方を覆われるので、待機位置の第２可動演出部材２１０を視認困難にすることが可能となり、第２可動演出部材２１０が突出位置に配置されたときに遊技者に与える意外性を大きくすることが可能となる。
【００３６】
第２可動演出部材２１０の待機位置と突出位置との間の移動は以下のようにして行われる。即ち、図１２及び図１３に示すように、連絡プレート１１２には、上下方向に直線状に延びた直動ガイド２２１が左右方向に対をなして設けられ、それら１対の直動ガイド２２１，２２１に、第２可動演出部材２１０を支持する直動ベース２２２が直動可能に取り付けられている。また、連絡プレート１１２には、図示しない第２駆動源が備えられると共に、その第２駆動源からの動力を受けて回動する回動リンク２２３が回動可能に取り付けられている。回動リンク２２３は、側方に張り出した突片２２３Ｔを有し、その突片２２３Ｔの先端部に形成された係合ピン２２３Ｐが、直動ベース２２２に形成された横長孔２２２Ａに挿通されている。そして、第２駆動源が作動して回動リンク２２３が回動することにより、突片２２３Ｔの係合ピン２２３Ｐと横長孔２２２Ａとの係合により直動ベース２２２が上下方向に移動し、第２可動演出部材２１０が連絡プレート１１２に対して上下動する。これにより、第２可動演出部材２１０が図５及び図１０に示した待機位置と図１１に示した突出位置との間を移動する。
【００３７】
また、図５及び図６に示すように、第２可動演出部材２１０は、待機位置において略円形状の収縮状態になっていて、図１１に示すように、突出位置に配置されたときに、収縮状態よりも外形が大きい略三角形状の拡張状態へ変形可能となっている。さらに、第２可動演出部材２１０は、拡張状態のときに、直動ベース２２２に対して中心軸２１０Ｊを中心にして一方向に回転可能となっている。以下、第２可動演出部材２１０の変形と回転について詳説する。
【００３８】
図１２及び図１３に示すように、第２可動演出部材２１０は、略円形状の回転盤２１１に複数の第１回動部２１２と複数の第２回動部２１３が支持された構造になっている。回転盤２１１は、直動ベース２２２に対して中心軸２１１Ｊ回りに回転可能となっている。図示はしないが、回転盤２１１を回転させるための駆動源は、直動ベース２２２の後面に備えられている。なお、第１回動部２１２及び第２回動部２１３は回転盤２１１の前側に配置されていて、第２可動演出部材２１０は、回転盤２１１と、第１回動部２１２及び第２回動部２１３とからなる層状構造になっていると言える。
【００３９】
図１３に示すように、第１回動部２１２は、菱形の一端側の半分を中心側へ縮めた形状の本体部２１２Ｈと、本体部２１２Ｈの他端側の頂点から扇状に張り出した扇形部２１２Ａと、を有した構造になっている。また、第１回動部２１２は、本体部２１２Ｈのうち扇形部２１２Ａと反対側の頂点部を前後方向に貫通する第１回動軸２１２Ｊを中心に回動可能となっている。具体的には、複数の第１回動部２１２は、回転盤２１１の外縁部に周方向で等間隔に配置されていて、第２可動演出部材２１０が収縮状態のときには、扇形部２１２Ａの全体が回転盤２１１に重なるように配置され（図１４（Ａ）参照）、第２可動演出部材２１０が拡張状態になると、第１回動軸２１２Ｊ回りに約１５０度回動して、扇形部２１２Ａが回転盤２１１の中心軸２１２Ｊから最も離れる位置に配置される（図１４（Ｂ）参照）。なお、第１回動部２１２には、収縮状態において周方向で隣り合う第１回動部２１２，２１２同士の干渉を避けるための段差２１２Ｄが設けられている（図１２参照）。
【００４０】
第２回動部２１３は、前後方向で回転盤２１１と第１回動部２１２との間に配置され、回転盤２１１の外周円の一部と略同径の円弧部２１３Ａを有する蒲鉾形状をなしている。第１回動部２１２と同様に、第２回動部２１３は、回転盤２１１の外縁部を前後方向に貫通する第２回動軸２１３Ｊを中心に回転可能となっている。具体的には、第２回動部２１３は、第２可動演出部材２１０が収縮状態のときに、円弧部２１３Ａが回転盤２１１の外周円と重なるように配置され（図１５（Ａ）参照）、第２可動演出部材２１０が拡張状態になると、第２回動軸２１３Ｊ回りに約１８０度回動して、円弧部２１３Ａが回転盤２１１の中心軸２１１Ｊへ突き合わせるように配置される（図１５（Ｂ）参照）。ここで、第２回動部２１３の数は、第１回動部２１２の数と同じになっていて、複数の第２回動部２１３の第２回動軸２１３Ｊは、周方向で隣り合う第１回動軸２１２Ｊ，２１２Ｊの真ん中に配置されている。
【００４１】
図１６には、第２可動演出部材２１０の回転機構２１０Ｋが模式的に示されている。同図に示されるように、回転機構２１０Ｋには、駆動源（図示せず）からの動力を受けて回転する駆動ギア２１４と、円環状をなして駆動ギア２１４と噛合する内歯２１５Ａを有する中央ギア２１５と、中央ギア２１５の外周部に形成された外歯２１５Ｂと噛合する第１ギア２１６及び第２ギア２１７と、が備えられている。中央ギア２１５の中心軸は、回転盤２１１の中心軸２１１Ｊに一致している。第１ギア２１６は、第１回動部２１２と一体に回転し、第１ギア２１６の中心軸が第１回動部２１２の第１回動軸２１２Ｊとなっている。また、第２ギア２１７は、第２回動部２１７と一体に回転し、第２ギア２１７の中心軸が第２回動部２１３の第２回動軸２１３Ｊとなっている。
【００４２】
第１ギア２１６及び第２ギア２１７は、その外周部の一部にのみ中央ギア２１５の外歯２１５Ｂと噛合する歯２１６Ａ，２１７Ａを有している。そして、駆動ギア２１４に駆動されて中央ギア２１５が回転すると、第１ギア２１６及び第２ギア２１７は、最初は、中央ギア２１５からの動力を受けて回転するが、周方向に歯２１６Ａ，２１７Ａが形成されている分だけ回転すると、中央ギア２１５からの動力を受けなくなり回転しなくなる。なお、第１ギア２１６のうち歯２１６Ａが形成されている円弧部分の中心角は約１５０度になっていて、第２ギア２１７のうち歯２１７Ａが形成されている円弧部分の中心角は約１８０度になっている。また、歯２１６Ａの周方向の長さと歯２１７Ａの周方向の長さは略同じになっている。
【００４３】
図１６（Ａ）に示すように、中央ギア２１５には、周方向に沿って円弧状に延びた複数の長孔２１５Ｎが形成されていて、それら複数の長孔２１５Ｎに、回転盤２１１に形成された複数の係合ピン２１１Ｐが係合している。この構成により、駆動ギア２１４に駆動されて中央ギア２１５が回転すると、その中央ギア２１５が一定の角度だけ回転してから、係合ピン２１１Ｐが長孔２１５Ｎの一端側の内側面に押され、回転盤２１１が回転駆動されることになる（図１６（Ｂ）参照）。ここで、長孔２１５Ｎの長さは、第１ギア２１６の歯２１６Ａ及び第２ギア２１７の歯２１７Ａの周方向の長さと略同じになっている。従って、第２可動演出部材２１０では、第１回動部２１２と第２回動部２１３のみが回動して拡張状態になってから回転盤２１１が回転することとなる。第２可動演出部材２１０が拡張状態になった後は、第１ギア２１６及び第２ギア２１７が中央ギア２１５からの動力を受けなくなり、第１回動部２１２及び第２回動部２１３は回動しない。なお、駆動ギア２１４が逆方向に回転すると、まず、第１ギア２１６及び第２ギア２１７が回動して第２可動演出部材２１０が収縮状態になり、収縮状態で回転盤２１１が逆方向に回転する。
【００４４】
このように、第２可動演出部材２１０は、中央ギア２１５が、例えば、前方から見て反時計方向に回転すると、収縮状態から拡張状態へと変形し、前方から見て反時計方向に回転する。また、第２可動演出部材２１０が拡張状態のときに中央ギア２１５が、例えば、前方から見て時計方向に回転すると、第２可動演出部材２１０は、拡張状態から収縮状態へと変形し、前方から見て時計方向に回転する。
【００４５】
第１可動役物装置１１０Ｓ及び第２可動役物装置２１０Ｓの構成に関する説明は、以上である。
【００４６】
ところで、本実施形態の遊技機１０では、合体状態の第１可動演出部材１１０及び突出位置に配置された第２可動演出部材２１０を光らせることで、第１可動演出部材１１０及び第２可動演出部材２１０の趣向性向上が図られている。具体的には、図２に示すように、遊技盤１１の表示開口１１Ｈの内側には、その表示開口１１Ｈの開口縁に沿って延在する環状発光部材３１０が設けられ、その環状発光部材３１０にて第１可動演出部材１１０と第２可動演出部材２１０を光らせる。ここで、同図では、環状発光部材３１０と第１可動演出部材１１０を区別し易くするために、環状発光部材３１０が薄い灰色で示され、第１可動演出部材１１０が濃い灰色で示されている。以下、環状発光部材３１０について詳説する。
【００４７】
図１７に示すように、環状発光部材３１０は、複数の発光素子３１１（図１９〜図２０参照）を透明樹脂製のケーシング３２０内に収容した構造になっている。詳細には、複数数の発光素子３１１は、フレキシブルシート３１５（図２３参照）の一方側の面に搭載され、そのフレキシブルシート３１５が発光素子３１１の搭載面が内側となるように円形状に丸められて、ケーシング３２０内に収容されている。
【００４８】
ケーシング３２０には、遊技盤１１の前面と略直交する方向に起立し且つ表示開口１１Ｈ（図２参照）の開口縁に沿って延在する外周壁３２１と、外周壁３２１よりも一回り小さい内周壁３２２と、外周壁３２１と内周壁３２２の前端部同士を連絡する前面壁３２３と、外周壁３２１と内周壁３２２の後端部同士を連絡すると共に外周壁３２１の外側に張り出したフランジ部３２４Ｆを有する後端壁３２４と、が備えられている。そして、フランジ部３２４Ｆから外側へ放射状に張り出した複数の支持突片３２５が機構枠１７に支持されることで、環状発光部材３１０が機構枠１７に支持されている。なお、フランジ部３２４Ｆからは、支持突片３２５とは別に、発光素子３１１からのケーブル（図示せず）を機構枠１７へと取り回すための取り回し突片３２６が外側に張り出している。
【００４９】
なお、図１８及び図２１に示すように、環状発光部材３１０は、表示装飾枠２３に後側から遊嵌されて、環状発光部材３１０のフランジ部３２４Ｆは、遊技盤１１の後面よりも後側に配置されている。また、環状発光部材３１０の前面壁３２３は、表示装飾枠２３の前端よりも後側で且つ遊技盤１１の前面よりも前側に配置されている。そして、環状発光部材３１０は、遊技盤１１の前側と後側とに跨って配置されている。
【００５０】
図２２及び図２３に示すように、複数の発光素子３１１は、発光面３１１Ｍをケーシング３２０の内側へ向けて、外周壁３２１の内周面に外周壁３２１の周方向全体に亘って固定されている。ここで、環状発光部材３１０は、遊技盤１１の表示開口１１Ｈの開口縁に沿って延在して、合体状態の第１可動演出部材１１０や突出位置の第２可動演出部材２１０を縁取るように配置される（図３及び図２６参照。なお、図３では、突出位置の第２可動演出部材２１０が二点鎖線で示されている）。従って、複数の発光素子３１１が環状発光部材３１０の周方向全体に亘って配置されると、環状発光部材３１０によって第１可動演出部材１１０及び第２可動演出部材２１０の全体を光らせることが可能となる。
【００５１】
具体的には、発光素子３１１には、前後位置が互いに異なった前側発光素子３１１Ａ、中間発光素子３１１Ｂ及び後側発光素子３１１Ｃの３種類が設けられていて、それら前側発光素子３１１Ａ、中間発光素子３１１Ｂ及び後側発光素子３１１Ｃを１つずつ周方向にずらして並べてなる発光素子ユニット３１２が周方向全体に亘って配置されている。そして、複数の発光素子３１１は、複数の前側発光素子３１１Ａ群からなる前側発光層３１３Ａと、複数の中間発光素子３１１Ｂ群からなる中間発光層３１３Ｂと、複数の後側発光素子３１１Ｃ群からなる後側発光層３１３Ｃとを備えた層状構造になっている。このように、本実施形態では、前後方向が同じ複数の発光素子３１１からなる発光層が前後方向にずれて複数層備えられているので、発光層を１つだけ備える場合と比較して、第１可動演出部材１１０や第２可動演出部材２１０を光らせる範囲を大きくすることが可能となる。また、互いに異なる発光層に含まれる発光素子３１１同士が周方向にずれて配置されているので、各発光層３１３Ａ〜３１３Ｃが第１可動演出部材１１０や第２可動演出部材２１０を光らせる部位を周方向にずらすことが可能となり、光による演出の趣向性の更なる向上を図ることが可能となる。
【００５２】
ここで、上述したように、第１可動演出部材１１０は、第１段差１１７を境にして上側構成体１３２と下側構成体１４２が前後方向にずれて配置されると共に、第２段差１１８を境にして下側構成体１４２の前側重なり部材１４３と後側重なり部材１４４が前後にずれて配置された層状構造となっている（図２１参照）。そして、環状発光部材３１０の各発光層３１３Ａ〜３１３Ｃも前後にずれて配置されているので、環状発光部材３１０の各発光層３１３Ａ〜３１３Ｃで第１可動演出部材１１０の上側構成体１３２、前側重なり部材１４３及び後側重なり部材１４４を光らせることが可能となる。また、第２可動演出部材２１０についても同様に、各発光層３１３Ａ〜３１３Ｃで第２可動演出部材２１０の回転盤２１１、第１回動部２１２及び第２回動部２１３を光らせることが可能となる。
【００５３】
ところで、上述したように、環状発光部材３１０においては、発光素子３１１を収容するケーシング３２０が透明樹脂で構成されている。そして、発光素子３１１は発光面３１１Ｍから等方的に出射するので、発光面３１１Ｍから前側へ出射された光は前面壁３２３を透過し、環状発光部材３１０自身が光ることになる。このように、本実施形態の遊技機１０では、環状発光部材３１０が第１可動演出部材１１０や第２可動演出部材２１０を光らせるだけでなく、環状発光部材３１０自身も発光することで、光による演出の趣向性向上が図られている。ここで、第１可動演出部材１１０や第２可動演出部材２１０を明るく光らせようとすると、環状発光部材３１０自身の発光が強くなり眩しくなるという問題が生じ得る。この問題を解決すべく、遊技機１０は、以下に説明する構成を備えている。
【００５４】
即ち、図２２に示すように、環状発光部材３１０におけるケーシング３２０の前面壁３２３には、前側へ向かう光を拡散可能なレンズカット３３１が形成されている。具体的には、レンズカット３３１は、後側に突出する円弧面３３２Ａを有する帯状レンズ体３３２を帯幅方向に複数並べてなるレンチキュラーレンズ状に形成されている。なお、詳細には、帯状レンズ体３３２の幅は、発光素子３１１の幅（より詳細には、発光面３１１Ｍ（図２３参照）の幅）と略同じになっている。
【００５５】
また、図２３に示すように、ケーシング３２０の内周壁３２２のうちケーシング３２０の内側を向く内向面３２２Ａには、発光素子３１１の発光面３１１Ｍと対向し且つ発光面３１１Ｍと略平行な平行入射部３３５が形成されると共に、内周壁３２２のうちケーシング３２０の外側を向く外向面３２２Ｂには、内周壁３２２の径方向で平行入射部３３５に重ねられ且つ前側へ向かうにつれて平行入射部３３５へ近づくように傾斜した傾斜出射部３３６が形成されている。そして、本実施形態では、ケーシング３２０のうち発光素子３１１からの光が透過する部分に平行入射部３３５と傾斜出射部３３６を備えたことで、発光素子３１１からの光を合体状態の第１可動演出部材１１０や突出位置の第２可動演出部材２１０へ向けて出射することが可能となっている。
【００５６】
図２３（Ａ）〜図２３（Ｃ）には、前側発光素子３１１Ａ、中間発光素子３１１Ｂ及び後側発光素子３１１Ｃから内周壁３２２へ向かって出射された光の様子が概念的に示されている。図２３（Ａ）に示すように、前側発光素子３１１Ａの発光面３１１Ｍから垂直な方向に出射された光は、発光面３１１Ｍと垂直な方向に直進し、内周壁３２２の平行入射部３３５に当たる。平行入射部３３５から内周壁３２２内に入射した光は、内周壁３２２内を発光面３１１Ｍと垂直な方向（即ち、内周壁３２２の径方向）に直進し、傾斜出射部３３６から外側に出射される。ここで、ケーシング３２０は、上述の如く、透明樹脂で構成されていて、内周壁３２２の屈折率は空気の屈折率より大きくなっている。従って、内周壁３２２の傾斜出射部３３６から出射される光は、発光面３１１Ｍと垂直な方向に対して後側へ傾斜する方向へ向かう。
【００５７】
図２３（Ｂ）には、中間発光素子３１１Ｂから出射された光の進路が示されていて、図２３（Ｃ）には、後側発光素子３１１Ｃから出射された光の進路が示されている。何れの発光素子３１１Ｂ，３１１Ｃにおいても、前側発光素子３１１Ａの場合と同様に、傾斜出射部３３６から出射される光が、発光面３１１Ｍと垂直な方向に対して後側へ傾斜する方向へ向かう。以上により、環状発光部材３１０からの光を第１可動演出部材１１０や第２可動演出部材２１０へ向けて進ませることが可能となる。
【００５８】
なお、本実施形態の例では、平行入射部３３５及び傾斜出射部３３６は、全ての発光素子３１１に対応して設けられているが、一部の発光素子３１１のみに対応して設けられていてもよい。その際、平行入射部３３５及び傾斜出射部３３６は、少なくとも、前側発光素子３１１Ａと、中間発光素子３１１Ｂと、後側発光素子３１１Ｃとのそれぞれに対応して設けられることが好ましい。また、本実施形態の例では、全ての傾斜出射部３３６の間で平行入射部３３５に対する傾斜角が同じとなっていたが（図２３（Ａ）〜図２３（Ｃ）参照）、一部の傾斜出射部３３６について傾斜角を異ならせてもよい。その際、例えば、前側発光素子３１１Ａ、中間発光素子３１１Ｂ及び後側発光素子３１１Ｃに対応する傾斜出射部３３６の間で傾斜角を異ならせてもよいし、周位置（環状発光部材３１０の周方向における位置）が異なる発光素子３１１に対応する傾斜出射部３３６の間で傾斜角を異ならせてもよい。
【００５９】
図１７、図２２及び図２３（Ｂ）に示すように、内周壁３２２の外向面３２２Ｂには凹凸が形成されている。具体的には、外向面３２２Ｂのうち傾斜照射部３３６の後側には、前後方向に延びる溝部３３７が形成されている。本構成によれば、溝部３３７の溝深さを変更することで、第１可動演出部材１１０及び第２可動演出部材２１０に対する照射位置を変更することが可能となり、環状発光部材３１０が第１可動演出部材１１０及び第２可動演出部材２１０を光らせる部分の位置調整が可能となる。なお、本実施形態では、溝部３３７は、中間発光素子３１１Ｂに対応した傾斜出射部３３６の後側にのみ形成されているが、前側発光素子３１１Ａに対応した傾斜出射部３３６の後側に形成されてもよいし、後側発光素子３１１Ｃに対応した傾斜出射部３３６の後側に形成されてもよい。
【００６０】
以上が、環状発光部材３１０による第１可動演出部材１１０及び第２可動演出部材２１０の発光についての説明である。なお、本実施形態では、第１可動演出部材１１０及び第２可動演出部材２１０は、前側を向く面に金属調に装飾された金属装飾部３３８（図１９及び図２０参照）が形成された構成になっていて、その金属装飾部３３８によって環状発光部材３１０から照射された光を効率よく反射することが可能となっている。詳細には、第１可動演出部材１１０については、前側を向く面全体が金属装飾部３３８となっている。第２可動演出部材２１０については、前側を向く面の一部にミラーが形成されていて、残りの部分が金属装飾部３３８となっている。何れの可動演出部材１１０，２１０についても、前側を向く面全体が光を反射可能な反射部３３９となっている。
【００６１】
環状発光部材３１０は、遊技盤１１の前面と平行な面内を移動可能となっていて、第１可動演出部材１１０及び第２可動演出部材２１０において環状発光部材３１０によって光る部分が移動するようになっている。具体的には、環状発光部材３１０は、前後方向に延びた軸回りに回転可能となっている。以下、環状発光部材３１０の回転機構について説明する。
【００６２】
図１７に示すように、機構枠１７は、前側が開放した容器状をなす箱部１７Ａに前面プレート部１７Ｂを前側から重ねて固定した構造になっている。前面プレート部１７Ｂは、遊技盤１１の表示開口１１Ｈ（図２参照）と略同形の開口を有する枠体の右下部分を切除した形状になっていて、遊技盤１１の後側に重ねて配置される。そして、図２４に示すように、前面プレート部１７Ｂに、環状発光部材３１０が回転可能に支持されている。なお、図１７及び図２４では、機構枠１７に固定された第１可動役物装置１１０Ｓ（図３及び図４参照）の一部が省略して示されている。
【００６３】
図２４に示すように、前面プレート部１７Ｂには、複数の回転支持盤３４１が回転可能に取り付けられている。複数の回転支持盤３４１は、前面プレート部１７Ｂの周方向で略均等に配置されていて、それら複数の回転支持盤３４１の回転中心軸３４１Ｊを通る仮想円Ｃ１の中心Ｐ０（図２５参照）が表示開口１１Ｈの略中央に配置されている。
【００６４】
各回転支持盤３４１には、環状発光部材３１０の支持突片３２５が回転可能に連結されている。詳細には、支持突片３２５は、図２５（Ａ）に示すように、回転支持盤３４１の回転中心軸３４１Ｊから偏心した位置に連結されていて、複数の回転支持盤３４１同士の間では、回転支持盤３４１と支持突片３２５との連結部位の回転中心軸３４１Ｊに対する相対位置が同じになっている。即ち、一の回転支持盤３４１において、回転支持盤３４１と支持突片３２５との連結部位が回転中心軸３４１Ｊの真下に配置されていると、他の全ての回転支持盤３４１においても、回転支持盤３４１と支持突片３２５との連結部位が回転中心軸３４１Ｊの真下に配置される。また、図２５（Ａ）に示されるように、環状発光部材３１０の中心Ｐ１は、複数の回転中心軸３４１Ｊを通る仮想円Ｃ１の中心Ｐ０からずれた位置に配置される。中心Ｐ１の中心Ｐ０に対する位置関係は、回転支持盤３４１と支持突片３２５の連結部位の回転中心軸３４１Ｊに対する位置関係と同じになっている。そして、前面プレート部１７Ｂに備えられた駆動源３４２（図２４参照）からの動力を受けて一の回転支持盤３４１が回転すると、図２５（Ａ）から図２５（Ｂ）への変化に示すように、環状発光部材３１０は、その中心Ｐ１が仮想円Ｃ１の中心Ｐ０を中心に回るようにして、回転する。
【００６５】
ここで、環状発光部材３１０は、上述した第２可動演出部材２１０が拡張状態で回転する方向と逆方向に回転可能となっている。即ち、図３において二点鎖線で示した拡張状態の第２可動演出部材２１０が前方から見て反時計方向に回転する場合、環状演出部材３１０は前方から見て時計方向に回転可能となっている。この場合において、環状発光部材３１０は、前方からみて時計方向にのみ回転可能であってもよいし、両方向に回転可能であってもよい。本構成によれば、拡張状態の第２可動演出部材２１０に対する環状発光部材３１０の回転速度を上げることが可能となる。これにより、第２可動演出部材２１０が光る部分を速く移動させることが可能となる。
【００６６】
なお、図１７に示すように、前面プレート部１７Ｂには、内側に向けて開放した複数の突片受容凹部３４６が形成されている（図１７には、１つの突片受容凹部３４６のみが示されている。）。各突片受容凹部３４６には、環状発光部材３１０の取り回し突片３２６が受容される。
【００６７】
ところで、図１８及び図２１に示すように、環状発光部材３１０は、前後方向で第１可動演出部材１１０に近接して配置されている。従って、環状発光部材３１０が移動するときに前後方向にガタつくと、環状発光部材３１０が第１可動演出部材１１０に衝突するという問題が起こり得る。このような問題を防ぐべく、本実施形態の遊技機１０では、図１７に示すように、環状発光部材３１０を支持する機構枠１７に、環状発光部材３１０に後側から当接して環状発光部材３１０の第１可動演出部材３１０側への移動を規制することが可能な当接規制部３５１が備えられている。
【００６８】
具体的には、図１７及び図１８に示すように、環状発光部材３１０には、支持突片３２５及び取り回し突片３２６とは別にフランジ部３２４Ｆから外側に張り出した当接突片３２７が設けられ、その当接突片３２７の後面に、後側へ半球状に突出した球状突起３２７Ｔが形成されている。そして、当接規制部３５１は、環状発光部材３１０と略平行で球状突起３２７Ｔと摺接可能な摺接面３５１Ｍを有している。このように、本実施形態では、環状発光部材３１０の球状突起３２７Ｔが当接規制部３５１の摺接面３５１Ｍと摺接可能となっているので、環状発光部材３１０が移動するときに、環状発光部材３１０と当接規制部３５１との当接が抵抗となることが抑えられる。また、環状発光部材３１０の周方向で支持突片３２５に挟まれる部分に当接突片３２７が配置されているので、環状発光部材３１０のうち前後に動き易い部分に当接規制部３５１を当接させることが可能となり、環状発光部材と第１可動演出部材１１０との干渉を効率よく防止することが可能となる。
【００６９】
詳細には、図１７に示すように、当接規制部３５１は、機構枠１７の箱部１７Ａの包囲壁１７Ｈに固定された固定ベース３５２と、固定ベース３５２から機構枠１７の内側へ向かって張り出すと共に前面プレート部１７Ｂ側へ突出する内側張出部３５３と、内側張出部３５３の先端部に固定された先端ベース３５４と、を有し、先端ベース３５４の前側を向く面に上述の摺接面３５１Ｍが形成されている。なお、先端ベース３５４は、前面プレート部１７Ｂの後面に重ねて固定され、当接規制部３５１は、箱部１７Ａと前面プレート１７Ｂとに挟まれるようにして機構枠１７に固定されている。
【００７０】
図１７及び図２４に示すように、当接規制部３５１は、第１可動演出部材１１０が分離状態のときに、下側構成体１４２を構成する１対の分割体１４２Ａ，１４２Ａの間の隙間に配置されている。これにより、第１可動演出部材１１０が分離状態のときに１対の分割体１４２Ａ，１４２Ａ同士の間に発生するスペースの有効活用を図ることが可能となっている。
【００７１】
ところで、上述したように、環状発光部材３１０は、遊技盤１１の表示開口１１Ｈの内側に配置されている。つまり、環状発光部材３１０は、表示画面１３Ｇに前側から重ねられている。従って、環状発光部材３１０が消灯すると、表示画面１３Ｇからの光が環状発光部材３１０によって遮られ、遊技機１０全体が暗く見えるという問題が生じる。この問題を解決すべく、本実施形態の遊技機１０では、以下の構成が取られている。
【００７２】
即ち、図３及び図２４に示すように、機構枠１７の前面プレート部１７Ｂには、外側発光部材４１０が備えられている。外側発光部材４１０は、複数の外側発光素子４１１が後面に搭載された外側発光基板４１２をフロントカバー４１５で前側から覆った構造になっていて、図２に示すように、遊技盤１１に後側から重ねられて表示開口１１Ｈの開口縁に沿って延在する。外側発光基板４１２及びフロントカバー４１５を前後方向から見た形状は、表示開口１１Ｈの開口縁に沿った円弧状になっている。また、外側発光基板４１２において、複数の外側発光素子４１１は、円弧の周方向に沿って並べて配置されている。
【００７３】
図２８に示すように、各外側発光素子４１１は、発光面４１１Ｍが表示開口１１Ｈの内側を向くように配置され、外側発光部材４１０は、表示開口１１Ｈの内側に向かって光を照射可能な構成となっている。詳細には、外側発光部材４１０は、遊技盤１１のうち表示開口１１Ｈの上縁部に沿って配置され、下方へ向かって光を照射可能となっている。ここで、図２に示すように、表示開口１１Ｈの内側領域における上部には、分離状態における第１可動演出部材１１０の上側構成体１３２が配置される。従って、外側発光部材４１０は、分離状態における上側構成体１３２を光らせることが可能となっている。なお、上述の如く、上側構成体１３２の前側を向く面全体は、金属装飾部３３８で形成されているので、上側構成体１３２によって外側発光部材４１０からの光を効率よく前側に反射することが可能となっている。
【００７４】
フロントカバー４１５は、透明な樹脂材料で構成され、図２８に示すように、外側発光基板４１２に前側から重ねられるカバープレート４１５Ａと、カバープレート４１５Ａのうち表示開口１１Ｈに近い側の縁部（即ち、下縁部）から後側に突出して複数の外側発光素子４１１と対向する対向突壁４１５Ｂと、を備えている。ここで、対向突壁４１５Ｂは、透明な樹脂材料で構成されているので、同図の矢印で示すように、外側発光素子４１１から照射された光には、対向突壁４１５Ｂを透過するものと、対向突壁４１５Ｂで反射されるものと、の２種類が存在する。そして、対向突壁４１５Ｂで反射された光の一部は、カバープレート４１５Ａへと向かい、カバープレート４１５Ａから前側に出射される。本実施形態では、遊技盤１１のうち外側発光部材４１０の前側に配置される部分は、透明になっている。従って、遊技盤１１には、カバープレート４１５Ａから出射された光によって光る外側発光領域Ｒ２が形成される。このように、本実施形態の遊技機１０では、外側発光部材４１０によって遊技盤１１のうち表示開口１１Ｈより外側に配置される部分を光らせることが可能となっている。
【００７５】
なお、本実施形態の遊技機１０では、図２８に示すように、表示装飾枠２３のうち表示開口１１Ｈの外側、即ち、外側発光部材４１０側を向く部分には、例えば、金属レールで構成されて外側発光素子４１１からの光を表示装飾枠２３の外側へ向けて反射可能な外向反射部２３Ｒが設けられている。従って、本実施形態では、カバープレート４１５の対向突壁４１５Ｂだけでなく表示装飾枠２３の外向反射部２３Ｒによっても、外側発光素子４１１からの光を反射することが可能となっている。
【００７６】
図２９に示すように、カバープレート４１５Ａには、カバープレート４１５Ａを前後に透過する光を拡散可能なレンズカット４１６が形成されている。従って、対向突壁４１５Ｂによって反射された光は、カバープレート４１５Ａを通過する際にレンズカット４１６によって拡散される。これにより、遊技盤１１０のうち外側発光部材４１０によって光る部分、即ち、外側発光領域Ｒ２を広くして遊技機１０全体を明るく見せることが可能となる。また、レンズカット４１６は、外側発光部材４１０を前側から見たときに、外側発光基板４１２を視認困難にする機能も有している。従って、遊技盤１１の透明部分の後側に外側発光部材４１０が配置されても、外側発光基板４１２を目立たなくすることが可能となる。なお、詳細には、レンズカット４１６は、上述したレンズカット３３１と同様の構造になっていて、前側に突出する円弧面を有する帯状レンズ体４１７を帯幅方向に複数並べてなるレンチキュラーレンズ状に形成されている。
【００７７】
図３０に示すように、遊技機１０には、主制御回路５０、サブ制御回路５２及びランプ制御回路５６が備えられていて、外側発光部材４１０の複数の外側発光素子４１１と、環状発光部材３１０の複数の発光素子３１１は、ランプ制御回路５６によって点灯制御される。主制御回路５０は、主として、遊技機１０における遊技に関する制御（具体的には、当否判定や遊技状態に関する制御）を行い、サブ制御回路５２は、主として、遊技機１０における演出に関する制御を行う。ランプ制御回路５６は、サブ制御回路５２からの制御信号を受けて、発光素子３１１及び外側発光素子４１１を点灯制御する。ここで、本実施形態では、ランプ制御回路５６は、環状発光部材３１０における全ての発光素子３１１を消灯させるときには、外側発光部材４１０の外側発光素子４１１を点灯させるように構成されている。具体的には、外側発光部材４１０は、遊技が行われている間、常に、点灯するようになっていて、環状発光部材３１０は、特定の演出が実行されるときにのみ、点灯するようになっている。これにより、本実施形態では、環状発光部材３１０が消灯しても、外側発光部材４１０によって表示開口１１Ｈの内側を明るくすることが可能となっている。
【００７８】
ところで、上述したように、環状発光部材３１０は、表示開口１１Ｈの開口縁に沿った形状になっている（図２参照）。ここで、外側発光部材４１０は、表示開口１１Ｈの開口縁に沿った円弧状になっているので、環状発光部材３１０が消灯したときに、外側発光部材４１０が点灯すると、その外側発光部材４１０によって光る外側発光領域Ｒ２は、表示開口１１Ｈの開口縁に沿った略円弧状となる。このように、遊技機１０では、環状発光部材３１０によって明るくなる部分と、外側発光領域Ｒ２によっても明るくなる部分とが近接するようになっていて、これにより、環状発光部材３１０が消灯しても、その消灯によって遊技機１０が暗く見えることを抑制可能となっている。
【００７９】
また、外側発光部材４１０は、ガイドレール１２に沿った円弧状になっている。ここで、ガイドレール１２のうち少なくとも外側発光領域Ｒ２の近傍に位置する部分には、例えば、金属レールで構成されて遊技領域Ｒ１の内側へ向けて光を反射可能な内向反射部１２Ｒが設けられている（図２８参照）。従って、遊技盤１１の外側発光領域Ｒ２が光ると、その外側発光領域Ｒ２からの光がガイドレール１２の内向反射部１２Ｒにて反射される。このように、本実施形態では、外側発光部材４１０が、遊技盤１１の外側発光領域Ｒ２だけでなくガイドレール１２も光らせることが可能となっていて、これにより、遊技機１０の全体を明るく見せることが可能となっている。
【００８０】
なお、本実施形態の遊技機１０では、第１可動演出部材１１０が本発明の「演出部材」に相当し、環状発光部材３１０が本発明の「環状装飾部材」に相当し、機構枠１７が本発明の「支持ベース」に相当する。また、第１可動演出部材１１０の下側構成体１４２における１対の分割体１４２Ａ，１４２Ａが本発明の「１対の接離構成体」に相当し、ケーシング３２０が本発明の「環状フレーム」に相当する。また、球状突起３２７Ｔが本発明の「対向突起」に相当する。
【００８１】
遊技機１０の構成に関する説明は以上である。次に、本実施形態の遊技機１０の作用効果について説明する。
【００８２】
本実施形態の遊技機１０では、所定の演出条件が成立すると、図２から図２６への変化に示すように、表示画面１３Ｇの上側と下側とに離れて配置された上側構成体１３２と下側構成体１４２とが共に表示画面１３Ｇの前方に出現して、第１可動演出部材１１０が分離状態から合体状態に変化する。そして、前方から見たときに第１可動演出部材１１０を縁取る環状発光部材３１０が仮想円Ｃ１の中心Ｐ０（図２５参照）を中心にして遊技盤１１の前面と平行な面内を回転する。
【００８３】
ここで、環状発光部材３１０は、前後方向で第１可動演出部材１１０に近接して配置されているため、環状発光部材３１０が移動するときに前後方向にガタつくと、環状発光部材３１０が第１可動演出部材１１０に衝突するという問題が起こり得る。しかしながら、本実施形態の遊技機１０では、環状発光部材３１０を回転可能に支持する機構枠１７に備えられた当接規制部３５１が、環状発光部材３１０に後側から当接可能となっているので、環状発光部材３１０が第１可動演出部材１１０側へ移動することが規制され、環状発光部材３１０と第１可動演出部材１１０との干渉を防止することが可能となる。しかも、環状発光部材３１０のうち当接規制部３５１と当接可能な部位は、周方向で隣り合う支持突片３２５の間に挟まれているので、環状発光部材３１０の第１可動演出部材１１０側への移動を効率よく規制することが可能となる。
【００８４】
また、本実施形態では、環状発光部材３１０のうち当接規制部３５１と対向する当接突片３２７には、半球状の球状突起３２７Ｔが設けられ、当接規制部３５１には、球状突起３２７Ｔと摺接可能な摺接面３５１Ｍが設けられているので、環状発光部材３１０が移動するときに当接規制部３５１と当接しても、その当接による移動抵抗を小さくすることが可能となり、環状発光部材３１０をスムーズに移動させることが可能となる。
【００８５】
また、本実施形態では、当接規制部３５１は、第１可動演出部材１１０が分離状態になったときの下側構成体１４２における１対の分割体１４２Ａ，１４２Ａの間の隙間に配置されているので、第１可動演出部材１１０を構成する複数の演出部材構成体１１０Ａと干渉を避けることが可能な位置に当接規制部３５１を配置することが可能となると共に、分離状態において複数の演出部材構成体１１０Ａの間に発生するスペースの有効活用を図ることが可能となる。
【００８６】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００８７】
（１）球状突起３２７Ｔは１つに限るものでなく、複数備えた構成であってもよい。
【００８８】
（２）当接規制部３５１は１つに限るものでなく、複数備えた構成であってもよい。
【００８９】
（３）上記実施形態では、本発明の「対向突起」の例として、半球状をなす球状突起３２７Ｔを示したが、「対向突起」は、先端部が丸みを帯びた凸状に形成されていればよく、例えば、先細りの円錐台形やストレートな直柱の先端面を球面状に面取りした形状であってもよい。
【００９０】
（４）上記実施形態では、移動の際の抵抗を、球状突起３２７Ｔの半球状の形状にて小さくしていたが、当接規制部３５１の摺接面３５１Ｍに摩擦係数の小さいシートを張るなどして小さくする構成であってもよい。
【００９１】
（５）上記実施形態では、当接規制部３５１が当接突片３２７の球状突起３２７Ｔと当接する構成になっていたが、当接突片３２７を備えずに、環状発光部材３１０の後端壁３２４や、支持突片３２５、取り回し突片３２６と当接する構成であってもよい。その際、後端壁３２４、支持突片３２５及び取り回し突片３２６に球状突起３２７Ｔを設けてもよい。
【００９２】
（６）上記実施形態では、環状発光部材３１０が、その中心Ｐ１が仮想円Ｃ１の中心Ｐ０を中心に回るようにして回転する構成になっていたが、中心Ｐ１を中心に環状発光部材３１０自体が所定角度、回転する構成であってもよいし、上下左右方向に直動する構成であってもよい。
【００９３】
（７）上記実施形態では、当接規制部３５１が、下側構成体１４２における１対の分割体１４２Ａ，１４２Ａの間の隙間に配置される構成になっていたが、分離状態及び合体状態の第１可動演出部材１１０と干渉しない位置に配置されればよく、例えば、上側構成体１３２と下側構成体１４２の間の隙間に配置されていてもよい。
【００９４】
（８）上記実施形態では、環状発光部材３１０が図３に示すように略円形状になっていたが、略多角形状であってもよい。
【００９５】
（９）上記実施形態では、当接規制部３５１が、箱部１７Ａと前面プレート１７Ｂとによって前方と後方の両方から挟まれるようにして機構枠１７に固定された構成になっていたが、箱部１７Ａ又は前面プレート１７Ｂの何れか一方にのみ固定される構成であってもよい。
【００９６】
（１０）上記実施形態では、環状発光部材３１０が支持するための支持突片３２５とは別に、環状発光部材３１０に設けた発光素子３１１からのケーブルを機構枠１７へ取り回すための取り回し突片３２６を設けた構成になっていたが、取り回し突片３２６を備えずに、支持突片３２５にてケーブルを機構枠１７へ取り回す構成としてもよい。
【００９７】
（１１）上記実施形態では、当接規制部３５１は、通常は、環状発光部材３１０から離間し、環状発光部材３１０が移動して前後方向にガタついたときに環状発光部材３１０と当接する構成になっていたが、通常時においても、環状発光部材３１０と当接する構成であってもよい。
【００９８】
（１２）上記実施形態では、本発明の環状装飾部材に相当する環状発光部材３１０が発光する構成になっていたが、発光しない構成であってもよい。
【００９９】
なお、上記実施形態には、以下、［発明１］〜［発明５］が含まれている。
以下の［発明１］〜[発明５]は、「特許文献１の遊技機において、演出の趣向性向上のために、演出部材とは別に演出部材の前側に演出部材を縁取る環状装飾部材を設け、その環状装飾部材を鉛直面内で移動させる構成にすると、移動によるガタつきで環状装飾部材が演出部材に干渉するという問題があった。」という課題をもってなされたものである。
【０１００】
［発明１］
演出部材と、
前記演出部材より前側で前記演出部材を縁取るように配置される環状装飾部材と、
前記環状装飾部材を支持する支持ベースと、
前記支持ベースに対して前記環状装飾部材を前後方向と直交又は略直交する面内で移動させるための駆動源と、有し、
前記支持ベースには、前記環状装飾部材に後側から当接して前記環状装飾部材の前記演出部材側への移動を規制することが可能な当接規制部が設けられたことを特徴とする遊技機。
【０１０１】
［発明２］
前記環状装飾部材は、前記環状装飾部材の中心から偏心した位置を前後に貫通する軸回りに回転可能であることを特徴とする発明１に従属の遊技機。
【０１０２】
発明１の遊技機によれば、環状装飾部材に後側から当接可能な当接規制部を設けたので、環状装飾部材が移動により前後方向にガタついたとしても当接規制部により環状装飾部材の演出部材側への移動を規制することができ、環状装飾部材と演出部材との干渉を防止することが可能となる。
【０１０３】
ここで、環状装飾部材の移動は、直動であってもよいし、環状装飾部材の中心軸周りに回転させる構成であってもよいし、発明２の構成のように、環状装飾部材の中心から偏心した軸回りに回転させる構成であってもよい。発明２の構成とすることで、趣向性の高い演出を実行することが可能となる。
【０１０４】
［発明３］
前記演出部材は、複数の演出部材構成体が分離した分離状態と、前記複数の演出部材構成体が合体した合体状態とに変化するように構成されると共に、
前記環状装飾部材は、前記合体状態の前記演出部材を縁取るように配置され、
前記複数の演出部材構成体には、前記演出部材が前記合体状態から前記分離状態へ変化するときに、前記環状装飾部材の外側へ移動すると共に前記環状装飾部材の周方向で互いに離れる１対の接離構成体が設けられ、
前記当接規制部は、前記分離状態における１対の前記接離構成体の間の隙間に配置されたことを特徴とする発明１又は発明２に従属の遊技機。
【０１０５】
発明３の遊技機では、演出部材が複数の演出部材構成体から構成され、複数の演出部材構成体が分離状態から合体状態へと変化し、合体状態となったときに演出部材が環状装飾部材にて縁取られる。ここで、本発明によれば、複数の演出部材構成体のうち、合体状態から分離状態へと変化するときに、環状装飾部材の周方向で互いに離れる１対の接離構成体の間の隙間に当接規制部を配置したので、複数の演出部材構成体の移動を邪魔することなく当接規制部を配置することができると共に、隙間スペースを有効活用することが可能となる。
【０１０６】
［発明４］
前記環状装飾部材は、環状フレームと、前記環状フレームから側方に放射状に張り出し且つ前記支持ベースに支持される複数の支持突片と、を有し、
前記当接規制部は、前記環状フレームのうち周方向で隣り合う前記支持突片の間に挟まれる部位と当接可能であることを特徴とする発明１乃至発明３のうち何れか１の発明に従属の遊技機。
【０１０７】
発明４の遊技機によれば、環状フレームから側方に放射状に張り出した複数の支持突片にて環状装飾部材を支持する構成とし、その周方向で隣り合う支持突片の間に挟まれる部位に環状装飾部材を当接可能としたので、効率的に環状装飾部材の演出部材側への移動を規制することが可能となる。
【０１０８】
［発明５］
前記環状装飾部材のうち前記当接規制部と対向する部分には、後側へ突出すると共に先端部が丸みを帯びた凸状に形成された対向突起が設けられ、
前記当接規制部には、前記対向突起と摺接可能な摺接面が形成されたことを特徴とする発明１乃至発明４のうち何れか１の発明に従属の遊技機。
【０１０９】
発明５の遊技機によれば、環状装飾部材と当接規制部とを、対向突起と摺接面とによって摺接させる構成としたので、対向突起と摺接面が摺接した状態で環状装飾部材が移動したとしても、環状装飾部材をスムーズに移動させることが可能となる。
【符号の説明】
【０１１０】
１０    遊技機
１１    遊技盤
１７    機構枠（支持ベース）
１１０    第１可動演出部材（演出部材）
１１０Ａ    演出部材構成体
１３２    上側構成体
１４２    下側構成体
１４２Ａ    分割体（接離構成体）
２１０    第２可動演出部材
３１０    環状発光部材（環状装飾部材）
３２０    ケーシング（環状フレーム）
３２５    支持突片
３２７Ｔ    球状突起（対向突起）
３４２    駆動源
３５１    当接規制部
３５１Ｍ    摺接面
【図１】
2018008177.tif 000003
【図２】
2018008177.tif 000004
【図３】
2018008177.tif 000005
【図４】
2018008177.tif 000006
【図５】
2018008177.tif 000007
【図６】
2018008177.tif 000008
【図７】
2018008177.tif 000009
【図８】
2018008177.tif 000010
【図９】
2018008177.tif 000011
【図１０】
2018008177.tif 000012
【図１１】
2018008177.tif 000013
【図１２】
2018008177.tif 000014
【図１３】
2018008177.tif 000015
【図１４】
2018008177.tif 000016
【図１５】
2018008177.tif 000017
【図１６】
2018008177.tif 000018
【図１７】
2018008177.tif 000019
【図１８】
2018008177.tif 000020
【図１９】
2018008177.tif 000021
【図２０】
2018008177.tif 000022
【図２１】
2018008177.tif 000023
【図２２】
2018008177.tif 000024
【図２３】
2018008177.tif 000025
【図２４】
2018008177.tif 000026
【図２５】
2018008177.tif 000027
【図２６】
2018008177.tif 000028
【図２７】
2018008177.tif 000029
【図２８】
2018008177.tif 000030
【図２９】
2018008177.tif 000031
【図３０】
2018008177.tif 000032